(57)【要約】【課題】    使用者の体型・体格等に関係なく使用者の体又は背中と適合することができ、使用中の使用者の負担を低減して長時間使用を可能とし、使用者の姿勢を正常な状態で保持することが可能な背負い型カバンを提供する。【解決手段】  物品の収納及び出し入れが自在な収納部本体と、一対の肩ベルトと、収納部本体及び肩ベルトを結ぶ調節ベルトを備え、収納部本体は使用時に使用者の背中と対峙する対峙面を有し、収納部本体は対峙面の形状変化を防止する形状保持体が設けられ、調節ベルトは上部調節ベルトを有し、上部調節ベルトの一方の端部は収納部本体の頂部又は頂部近傍の側部と連結し、もう一方の端部は肩ベルトと連結していることを特徴とする。対峙面は一部又は全体が収納部本体内側に向かって凹んだ湾曲形状を有し、対峙面にはクッション保持部材が連結固定されている。クッション保持部材は対峙面と相対する面が平面状で、圧力に応じて変形可能である。【選択図】  図１【特許請求の範囲】
【請求項１】
物品の収納及び出し入れが自在な収納部本体と、一対の肩ベルトと、該収納部本体及び該肩ベルトを結ぶ調節ベルトを備え、前記収納部本体は使用時に使用者の背中と対峙する対峙面を有し、該収納部本体は該対峙面の形状変化を防止する形状保持体を有し、前記調節ベルトは上部調節ベルトを有し、該上部調節ベルトの一方の端部は前記収納部本体の頂部又は頂部近傍の側部と連結し、もう一方の端部は前記肩ベルトと連結していることを特徴とする調節ベルト付き背負い型カバン。
【請求項２】
収納部本体は相対する一対の側面を有し、該両側面は形状変化しにくい硬質部材によって形成されているか又は硬質部材からなる枠体を有し、前記形状保持体は該両側面であることを特徴とする請求項１に記載の調節ベルト付き背負い型カバン。
【請求項３】
前記対峙面は一部又は全体が前記収納部本体内側に向かって凹んだ湾曲形状を有し、該対峙面にはクッション保持部材が連結固定され、該クッション保持部材は該対峙面と相対する面が平面状であり、圧力に応じて変形可能であることを特徴とする請求項１又は２に記載の調節ベルト付き背負い型カバン。
【請求項４】
前記クッション保持部材は前記対峙面と間隙を設けて連結固定されていることを特徴とする請求項１〜３のいずれかに記載の調節ベルト付き背負い型カバン。
【請求項５】
前記上部調節ベルトは、着脱自在な一対の連結手段と、該上部調節ベルトの長さ調節が可能な調節機構を有し、該連結手段は該上部調節ベルトを分離結合可能に設けられていることを特徴とする請求項１〜４のいずれかに記載の調節ベルト付き背負い型カバン。
【請求項６】
前記調節ベルトは下部調節ベルトを有し、該下部調節ベルトは該下部調節ベルトの長さ調節が可能な調節機構を有し、該下部調節ベルトの一方の端部は前記収納部本体の底部又は底部近傍の側部と連結し、もう一方の端部は前記肩ベルトと連結していることを特徴とする請求項１〜５のいずれかに記載の調節ベルト付き背負い型カバン。
【請求項７】
前記肩ベルトは前記クッション保持部材に連結固定され、該クッション保持部材は前記対峙面と着脱自在に連結されていることを特徴とする請求項１〜６のいずれかに記載の調節ベルト付き背負い型カバン。
【請求項８】
前記クッション保持部材は、クッション部材と、使用者の腰を周回する腰ベルトを有し、該腰ベルトは一対の着脱自在な連結手段を有し、該連結手段は該腰ベルトを分離結合可能に設けられているていることを特徴とする請求項１〜７のいずれかに記載の調節ベルト付き背負い型カバン。
【発明の詳細な説明】
【技術分野】
【０００１】
本発明は、使用者の体型や体格に関係なく使用者の背中に密接し、使用者の負担を低減して長時間使用が可能な背負い型カバンに関する。
【背景技術】
【０００２】
近年、ハイキングや登山を楽しむ人が増え、リュックサックの需要が高まっている。それに伴い、リュックサックの機能、形状、色彩、素材、使い心地等が重要視され、様々な研究開発が行われるようになった。また、多種多様なリュックサックが製造販売されるようになったことから、通勤、通学、旅行、買い物等、ハイキング・登山以外の様々な機会でリュックサックが使用され、更なる研究開発が望まれている。【０００３】
ところで、日常生活の中でリュックサックの使用頻度は増しているが、日本の小学生が通学時にリュックサックを使用することはほとんど無い。日本多くの小学校は、児童が登下校時に使用するカバンをランドセルに指定しており、長い慣例となっている。図６は、一般的なランドセルを示した説明図である。ランドセルは、略箱形の収納部本体と肩ベルトを有し、収納部本体には大きな開口部と、開口部を塞ぐ冠部材が設けられている。また、皮革で製造されており、非常に丈夫で長持ちしやすいといった特徴を有している。このランドセルは、実用新案全文昭５９−６０９１２号公報記載の考案をはじめ、製造方法、収納部本体の容量・構造、肩ベルト等について数多く研究開発されているが、全体の形状等については従来から大きな変化が無いという特徴を有している。
【特許文献１】実用新案全文昭５９−６０９１２号公報
【発明の開示】
【発明が解決しようとする課題】
【０００４】
一般に販売されているリュックサックは、使用者の体と完全に適合するものが少なく、負担・ストレスを感じるものが多いという問題があった。使用者の体型・体格は人それぞれ異なるのに対し、一般に販売されているリュックサックは製造者によって寸法・形状が決定された大量生産品であるため、必ずしも使用者の体に適合するとは限らない。また、使用者自身の体型・体格に完全に適合するリュックサックを所持するには、特注するしかなく、費用負担が大きすぎるという問題がある。そのため、使用者は一般に市販されているリュックサックの中から、自身の体型・体格に適合すると思われるものを選択して使用している。しかし、収容物を入れて使用したり、長時間使用すると、違和感を感じたり、体の局部的に多大な負担が生じ、多くの使用者が不満を感じていた。これは、リュックサックの一般的な購入方法に問題がある。多くの人が登山やハイキングを趣味や健康のために楽しもうとするため、本格的な登山専門店での購入を躊躇する。これは、登山やハイキングを気軽に考えているため、本格的な用具等を揃えるのに抵抗感があるものと考えられる。その結果、デパートや量販店で手軽にリュックサックを購入するケースが多い。デパートや量販店で購入する時は、収容物が入っていない空のリュックサックを背負い装着感や重量を確かめ、その場で足踏みや売り場内を多少歩くなどして購入を判断する。その結果、実際に収容物を入れて登山やハイキングをすると、購入時とは条件が全く異なるため、様々な問題が生じていた。【０００５】
また、使用者の体型・体格に適合していないリュックサックの使用は、使用者の負担が増え疲れやすくなるという問題と共に、正常な姿勢が崩れるという問題も有している。例えば、リュックサック使用時に、使用者の背中と収納部との間に隙間が生じていると、歩行時の振動によって収納部が上下左右に移動移動する。背中に背負った収納部が移動すると、使用者の背中・腰部・肩・腕へ通常とは異なる荷重圧力がかかり、使用者の力のバランスが変化するため歩行バランスが崩れやすくなる。歩行バランスが崩れると、通常の歩行が困難になり、疲労が蓄積されるという悪循環を生んでしまう。【０００６】
以上のことから、使用者の負担の低減、正しい姿勢の維持という点で、使用者自身の体型・体格に適合したリュックサックを使用することが非常に重要であることがわかる。また、長時間使用しても使用者の姿勢が崩れないための機能や構造を有したリュックサックの開発も望まれている。【０００７】
また、ランドセルも上記したリュックサック以上に様々な問題を有している。ランドセルの最大の特徴は、使用対象者が小学生に特定されていることであるが、このことが多くの問題点を有している。表１は、平成１４年度の小学生の身長・体重の全国平均を示しものである。これによると、小学１年生時の平均身長１１７ｃｍ、平均体重２２ｋｇに対し、小学６年時の平均身長１４６ｃｍ、平均体重４０ｋｇとなっている。小学校入学時と卒業時では、身長が３０ｃｍ、体重が約２０ｋｇも成長している。また、この期間は、骨が軟骨から硬骨へ成熟し、背骨、骨格、筋肉も形成される期間でもある。【０００８】
【表１】
2006090542.tif 000002
【０００９】
そして、表２は従来のランドセルを使用した学習用具の重量別による荷重圧を比較した表である。２．５ｋｇ所持時とはランドセル内に平均的学習用具の重量２．５ｋｇを収納して測定したもので、４．０ｋｇとはランドセル内に多めに学習用具を収納した時の重量４．０ｋｇを収納して測定したものである。測定場所は、図５に示されているように児童の肩中央部、腰椎部、側胸部にかかる荷重圧を測定した。これによると、それぞれの箇所において、歩行時には静立時の約２倍〜４倍の荷重がかかっている。また、最小値はどの箇所も極端に荷重圧力が減少している。つまり、歩行時の振動によってランドセルが一瞬浮いて児童の体から離れ、そして加速を付けて落下して児童の体と衝突していると考えられる。以上のことから、児童が日常の通学時に使用するランドセルは、未成熟な体へ多大な負担を与えていることが分かる。【００１０】
【表２】
2006090542.tif 000003
【００１１】
また、児童の姿勢で特に問題視されるのが猫背である。猫背は、首をやや前に出し背を丸めた姿勢で、直立時と比べて椎間板への負担が増加するため腰痛・ヘルニアの原因となりやすい。また、首や肩を支える筋肉に大きな負担がかかり、肩凝りやそれに伴う緊張型頭痛の原因にもなる。また、前かがみは正常な姿勢と比べて、両肩及び両腕が体の前側で狭まるため、肺が圧迫されて息苦しくなるという問題も有している。この猫背は、前かがみの状態が習慣や癖になると猫背になってしまうとされている。そして、多くの児童は前かがみになりやすいことが問題視されている。人の体は、背骨を支える筋肉の力が弱いと前へかがむようになってしまう。しかし、腹筋の筋力は背筋より強くなりやすいのに対し、背筋は使う機会が少ないため、筋力が付きにくく弱りやすい。その結果、前かがみになりやすい。特に児童は、筋肉が未発達であるため、背筋の筋力が非常に乏しく、前かがみになりやすい。また、授業中のノート記載や、登下校時のランドセルを背負った状態も前かがみになりやすく、児童の日常生活の中で前かがみを習慣・癖にしやすい環境が多いことが問題になっていた。【００１２】
特に、従来のランドセルは、その特徴的な構造により児童が前かがみになりやすい。ランドセルは、収納部の型枠を硬質材料で成形し、外面を皮革や合皮で被覆しており、非常に丈夫で内容物の収納や外圧等によって収納部の形状が変化することが無い。また、児童の背中と対峙する対峙面も同様に平面状のまま形状変化しない。そのため、胸椎と対峙面が衝突して窮屈な姿勢を強いられるという問題を有していた。ここで、人間の頸椎の状態について説明する。図８は、正常な姿勢時の頸椎の状態を示した説明図である。人間の背骨は、胸椎が背中方向に湾曲し、腰椎が腹方向に湾曲したＳ字カーブをしている。ランドセルは上述したとおり、対峙面が平面状であり形状変化しない。そのため胸椎と対峙面が衝突して胸椎に圧力がかかっていた。また、湾曲した胸椎に平面状の対峙面が衝突するため、胸椎を直線状にしようとする力が働く。すると、頸椎との基部及び腰椎との基部にそれぞれ圧力がかかり、腰痛や肩凝りの原因となりやすい。また、胸椎に圧力がかかって姿勢が窮屈なため、胸椎の湾曲を戻そうとして背中を丸めると前かがみになってしまうという問題も有している。【００１３】
また、平面状の対峙面が背中に密接しすぎると上記したとおり圧迫感を感じるため、肩ベルトを緩めて対峙面と背中との間に間隙を設ける児童が多い。しかし、間隙を設けると、収納部が背中から徐々に下側に移動しやすくなる。この時、平面状の対峙面が背中の丸みに沿って移動し、図７に示されているように、収納部の角部が腰椎に食い込んで痛みを生じることがある。特に、歩行時や走行時には、ランドセルが上下動するため、腰椎に接触しやすく、接触した衝撃も大きい。そのため、歩行時や走行時にはランドセルが腰椎と接触しない位置に持ち上げようとして、前かがみになりやすいといった問題もある。【００１４】
また、両肩でランドセルを背負うことが苦痛に感じたり、成長によって両肩でランドセルを背負うことができなくなると、片方の肩にのみ肩ベルトをかけてランドセルを背負うようになる。しかし、この行為は片方の肩にのみ重量がかかり、体のバランスが悪くなるという問題がある。また、自身の好みの側の肩を常時使用するようになりやすいため、体のバランスが悪くなりやすい。【００１５】
以上のことからも児童の体に合ったランドセルを使用することは非常に重要であることが分かる。しかし、児童の成長に合わせてランドセルを揃えることは非常に困難であるという矛盾も生じている。表１で示したとおり、小学校在籍中は児童の体が急激に成長するため、ランドセルと児童の体が適合する期間があったとしても、すぐに体が大きくなってしまう。児童の成長にあわせてランドセルを揃えるには、毎年のようにサイズの異なるランドセルを購入しなければならず、費用の負担が大きすぎる。そのため、多くの児童が、入学時に購入した一つのランドセルを卒業するまで無理して使用しているという問題が生じていた。
【課題を解決するための手段】
【００１６】
上記問題を解決するために本発明に係る調節ベルト付き背負い型カバンは、物品の収納及び出し入れが自在な収納部本体と、一対の肩ベルトと、収納部本体及び肩ベルトを結ぶ調節ベルトを備え、収納部本体は使用時に使用者の背中と対峙する対峙面を有し、収納部本体は対峙面の形状変化を防止する形状保持体が設けられ、調節ベルトは上部調節ベルトを有し、上部調節ベルトの一方の端部は収納部本体の頂部又は頂部近傍の側部と連結し、もう一方の端部は肩ベルトと連結していることを特徴とする。【００１７】
また、収納部本体は相対する一対の側面を有し、両側面は形状変化しにくい硬質部材によって形成されているか又は硬質部材からなる枠体を有し、形状保持体は両側面であっても良い。【００１８】
また、対峙面は一部又は全体が収納部本体内側に向かって凹んだ湾曲形状を有し、対峙面にはクッション保持部材が連結固定されていても良い。このクッション保持部材は対峙面と相対する面が平面状であり、圧力に応じて変形可能であっても良い。また、クッション保持部材は対峙面と間隙を設けて連結固定されていても良い。また、肩ベルトはクッション保持部材に連結固定され、クッション保持部材は対峙面と着脱自在に連結されていても良い。また、クッション保持部材は、クッション部材と、使用者の腰を周回する腰ベルトを有し、腰ベルトは一対の着脱自在な連結手段を有し、連結手段は腰ベルトを分離結合可能に設けられていても良い。【００１９】
また、上部調節ベルトは、着脱自在な一対の連結手段と、上部調節ベルトの長さ調節が可能な調節機構を有し、連結手段は上部調節ベルトを分離結合可能に設けられていても良い。また、調節ベルトは下部調節ベルトを有し、下部調節ベルトは下部調節ベルトの長さ調節が可能な調節機構を有し、下部調節ベルトの一方の端部は収納部本体の底部又は底部近傍の側部と連結し、もう一方の端部は肩ベルトと連結していても良い。【００２０】
また、対峙面は、一部又は全体が収納部本体内側に向かって凹んだ湾曲形状を有し、対峙面の一部又は全体には、クッション保持部材が連結固定されていても良い。また、クッション保持部材は、対峙面と相対する面が平面状であり、圧力に応じて変形可能であっても良い。また、クッション保持部材は、対峙面と間隙を設けて連結固定されていても良い。また、肩ベルトはクッション保持部材に連結固定され、クッション保持部材は、対峙面と着脱自在に連結されても良い。また、クッション保持部材は、使用者の背中と接する面に、クッション部材と、使用者の腰を周回する腰ベルトが設けられていても良い。また、腰ベルトには着脱自在な雄雌型連結手段が設けられていても良い。
【発明の効果】
【００２１】
本発明に係る調節ベルト付き背負い型カバンは、物品の収納及び出し入れが自在な略箱形の収納部本体と、一対の肩ベルトと、収納部本体と肩ベルトを結ぶ調節ベルトを有し、収納部本体は、背負い型カバン使用時に使用者の背中と対峙する対峙面を有し、肩ベルトの一方の端部は、収納部本体の頂部又は頂部近傍の対峙面と連結固定され、調節ベルトは収納部本体の頂部又は頂部近傍の側部と肩ベルトを結ぶ上部調節ベルトと、収納部本体の底部又は底部近傍の側部と肩ベルトを結ぶ下部調節ベルトからなり、上部及び下部調節ベルトには、上部調節ベルトの長さ調節が可能な調節機構を有しているため、調節ベルトによって使用者の肩口側から収納部本体を上部側に引き上げて保持することができ、使用者への負担を低減することができる。また、調節ベルトの調節機構により、対峙面と背中の間隙、背中への感触、収納部本体の位置等を使用者の希望に応じて任意に変更でき、長時間使用によるストレスの発生を減少させ、快適に長時間使用が可能となる。【００２２】
また、対峙面は一部又は全体が収納部本体内側に向かって凹んだ湾曲形状を有しているため、使用者の背中と対峙面が間隙を無くして密接でき、歩行時の収納部本体の振動を低減し、使用者の前かがみを防止して長時間の正しい姿勢の保持が可能となる。【００２３】
また、対峙面には、対峙面の形状を保持する形状保持体が設けられ、対峙面の一部又は全体には、クッション保持部材が連結固定され、クッション保持部材は、対峙面と相対する面が平面状であり、圧力に応じて変形可能であるため、内容物の種類・形状・重量などに関係なくクッション保持部材が変形して使用者の背中に密接し、対峙面の形状による違和感を無くし、長時間使用が可能となる。【００２４】
更に、クッション保持部材は、対峙面と間隙を設けて連結固定されているため、使用時にクッション保持部材が容易に変形し、使用者の背中に密接しやすくなる。更に、クッション保持部材と対峙面との間に追加のクッション部材等を補充することができるため、対峙面を全ての使用者の感覚に応じて変化させることができ、違和感やストレスの発生を防止又は大幅に低減でき、より快適に長時間使用が可能となる。【００２５】
また、肩ベルトはクッション保持部材に連結固定され、クッション保持部材は、対峙面と着脱自在に連結されているため、使用目的、使用者の体型・体格に応じてクッション保持部材や肩ベルト等を任意に変更することができ、全ての使用者がストレスを感じることなく快適に使用できる。【００２６】
また、クッション保持部材は、使用者の背中と接する面に、使用者の腰を周回する腰ベルトが設けられ、腰ベルトには着脱自在な雄雌型連結手段が設けられているため、歩行時の収納部本体の振動及び移動を防止できる。
【発明を実施するための最良の形態】
【００２７】
本発明に係る調節ベルト付き背負い型カバン２について、図を参照にしながら説明する。図１及び図２は、本発明に係る調節ベルト付き背負い型カバン２を示した説明図である。なお、これらの図は本発明を説明するためだけのものであり、本発明を何ら限定するものではない。【００２８】
本発明に係る調節ベルト付き背負い型カバン２は、物品の収納及び出し入れが自在な略箱形の収納部本体４と、一対の肩ベルト８と、収納部本体４と肩ベルト８を結ぶ調節ベルト１０を有していることを特徴とする。【００２９】
収納部本体４の形状としては、物品の収納及び出し入れが自在で、背負い型カバン２を使用する者（以下、使用者２６とする。）の背中と対峙する対峙面６を有していれば、どの様な形状でも良い。また、収納部本体４の材料についても、合成繊維、皮革、樹脂等やその他の材料を使用することができ、使用目的・形状・構造等を考慮して適宜設定すれば良い。また、開口部についても特に限定せず、形状・形成位置・形成個数等の条件を適宜設定すれば良い。図２では、収納部本体４上部から側面にかけて開口部を設け、ファスナーによって開閉可能としているが、開口部の開閉機構についても、ボタン、フック、マジックテープ（登録商標）、巾着などにしても良く、適宜設定すれば良い【００３０】
対峙面６は、収納部本体４の一側部に設けられた略平面状の部位を指す。対峙面６の形状は特に限定しないが、使用者２６の背中の全体と接触する形状でも良いし、背中のある程度と接触する程度の形状でも良く、適宜設定することができる。また、対峙面６の形状を保持する形状保持体（図示せず）が設けられていても良い。この形状保持体は、対峙面６を適度な強度を有した樹脂板・ウレタン材・厚紙等で形成しても良いし、またこれらの部材を収納部本体４内部の対峙面６に該当する箇所に縫合しても良いし、収納部本体４内部の対峙面６該当箇所にフレーム部材等を設けても良い。また、図１及び図２に示されたように収納部本体４に相対する一対の側面を設け、両側面を硬質材料で形成するか又は硬質材料の枠体で形成し、この両側面を形状保持体としても良い。この時の硬質材料は、容易に形状変化しない材料で形成されていれば良く、各種金属、樹脂、紙類等を使用することができるが、適宜設定すれば良い。形状保持体は対峙面６の形状を保持できれば、この他にもどの様な手段・方法・構造を使用することができるが、収納部本体４内部にどの様な種類、形状、重量の内容物を収納しても対峙面６の形状を保持でき、対峙面６によって使用者２６が背中に違和感・ストレス等を感じることがなければ更に良い。【００３１】
また、対峙面６は一部又は全体が収納部本体４内側に向かって凹んだ湾曲形状であっても良い。この湾曲形状は、使用者２６の背中に適合する形状が好ましいが、一般成人の平均的な背中の湾曲形状に適合する形状であっても良い。また、使用すると想定さる年齢層の平均的な背中の湾曲形状に適合する形状でも良く、適宜設定すれば良い。【００３２】
また、対峙面６にクッション保持部材２０を連結固定しても良い。クッション保持部材２０としては、圧力によって変形が可能な略板状板部材であるのが良い。材料としては、ポリウレタン、各種樹脂、紙類、低反発素材等を使用することができるが、変形容易であればどの様な材料を使用しても良い。また、クッション保持部材２０は、変形した後、自然に元の状態へ戻る材料を使用すると更に良い。このクッション保持部材２０を設けることにより、クッション保持部材２０が変形して使用者２６の背中に適合し、違和感を感じさせずに使用することができる。特に、対峙面６は形状保持体が設けられ、形状が変化しないため、そのままでは使用者の脊椎と衝突してしまうが、クッション保持部材２０によって衝突をなくすことができる。【００３３】
また、クッション保持部材２０は、対峙面６と若干の間隙を有して連結されると更に良い。間隙の大きさは、特に限定しないが、クッション保持部材２０の変形の妨げにならない程度で、使用者２６の背中と収納部本体４が離れすぎない程度が良く、適宜調節すれば良い。クッション保持部材２０と対峙面６の間に間隙を設けることにより、クッション保持部材２０が変形しやすくなり、使用者２６の背中の形状に適合しやすくなる。また、この間隙に他のクッション部材２２を追加することができるため、使用者２６の希望に応じてクッションの硬さ、数量、位置等々の条件を変更でき、ストレスを大幅に低減することができる。【００３４】
また、クッション部材２２としては、市販されているリュックサックなどに使用されている一般的なクッション等を使用でき、使用対象者・材質・設置箇所などの条件等を考慮して適宜設定すれば良い。また、クッション保持部材２０には腰ベルト２４が設けられていても良い。腰ベルト２４は、使用者２６の腰囲又は腰囲近傍を周回するベルト部材を指す。腰ベルト２４の形状や寸法などについては適宜設定すれば良い。例えば、図１に示されたように、クッション保持部材２０の下部近傍にクッション部材２２を設け、クッション部材２２とベルト部材を連結し、腰ベルト２４としても良い。また、この腰ベルト２４には長さ調節可能な調節機構１８や、連結手段１６が設けられていても良い。調節機構１８や連結手段１６の種類・手段・構造等の条件については、適宜設定すれば良い。また、腰ベルト２４の連結手段１６として、図１では着脱自在な雄雌型連結手段１６を使用しているが、その他の連結手段でも良く適宜設定することができる。【００３５】
また、クッション保持部材２０が図３及び図４に示されたように、収納部本体４と着脱自在に連結されていても良い。この収納部本体４とクッション保持部材２０の連結は、図３に示されたように収納部本体４の対峙面６周縁部近傍にファスナーを設け、クッション保持部材２０にも同様にファスナーを設けて連結するのが良い。ファスナー以外の連結手段としては、ボタン、フック、マジックテープ（登録商標）等も使用することができる。収納部本体４とクッション保持部材２０の連結で、図３に示されたように対峙面６の周縁部を囲うようにファスナーを設けたのは、対峙面６とクッション保持部材２０との間隙をポケットとして使用するためである。ファスナー以外の連結手段を使用する時は、この間隙内に内容物を収納した時、内容物が落下しないように注意する必要がある。クッション保持部材２０と収納部本体４が着脱自在であると、例えば、寸法・形状、クッション部材２２の設置数・設置箇所等がそれぞれ異なる複数のクッション保持部材２０から、使用目的などに応じて任意に選択して使用することができるため、汎用性が飛躍的に向上する。また、児童の体が急激に成長しても、クッション保持部材２０を児童の体に合わせて変更するだけで、カバンを児童の体に合わせることができ、全ての使用者の体に合わせることができると共にカバンの買い換え費用を大幅に抑えることもできる。【００３６】
また、本発明に係る肩ベルト８は、一般的なリュックサック等に使用されている肩ベルト８を使用することができ、種々の条件については特に限定はしない。また、使用者２６の肩に食い込まない程度の幅と厚みを有し、使用者２６の体と接触する部位にはクッション部材２２又はクッション部材２２に相当する緩衝材が設けられていると更に良い。【００３７】
この肩ベルト８の固定箇所については特に限定しないが、図１に示されたように一方の端部が収納部本体４の頂部又は頂部近傍の対峙面６に連結固定されるていても良いし、クッション部材２２に連結固定されていても良く、背負い型カバン２のバランスや肩ベルト８の形状等の種々の条件を考慮して適宜設定すれば良い。クッション部材２２が収納部本体４と着脱自在である場合は、図４に示されたように肩ベルト８はクッション部材２２に連結固定されていると良い。また、肩ベルト８もクッション保持部材２０と着脱自在に連結されていても良い。この時の連結方法については、適宜設定すれば良い。【００３８】
また、本発明に係る調節ベルト１０は、上部調節ベルト１２と下部調節ベルト１４からなる。上部調節ベルト１２は、収納部本体４の頂部又は頂部近傍の側部と肩ベルト８を結ぶベルト部材であり、下部調節ベルト１４は収納部本体４の底部又は底部近傍の側部と肩ベルト８を結ぶベルト部材である。【００３９】
上部調節ベルト１２の設置箇所としては、図１に示されたように、一方の端部が肩ベルト８上の使用者２６腋下近傍から肩峰近傍間に連結固定されているのが良い。また、もう一方の端部は、収納部本体４の頂部又は頂部近傍の側部と連結固定されているのが良い。また、収納部本体４との連結箇所は、図１に示されたように肩ベルト８が連結固定されている箇所よりも上方であると更に良い。これにより、図５に示されたように上部調節ベルト１２が肩ベルト８よりも高い位置で収納部本体４を吊り上げ保持することができ、収納部本体４のずり落ちを防止し、使用者２６の負担を低減することができる。【００４０】
また、上部調節ベルト１２には、長さ調節が可能な調節機構１８が設けられていても良い。この調節機構１８の構造・手段等については、特に限定せず適宜設定すれば良い。また、上部調節ベルト１２は、着脱自在な連結手段１６が設けられていても良い。この連結手段１６は、容易に着脱可能で、連結が外れにくいものであればどの様な連結手段１６でも良いが、図１に示されたように雄雌型連結手段１６が好ましい。連結手段１６の設置位置としては、連結手段１６によって上部調節ベルト１２が分離結合可能であれば、どの位置に設けられても良い。例えば、図１に示されたように、収納部本体４に近い箇所に設けられていても良い。【００４１】
また、下部調節ベルト１４には、長さ調節が可能な調節機構１８が設けられていても良い。この調節機構１８の構造・手段等については、特に限定せず適宜設定すれば良い。下部調節ベルト１４は、上部調節ベルト１２のように連結手段１６を有している必要は無く、肩ベルト８の長さ調節のための補助的なベルトとして設けられていても良い。下部調節ベルト１４の設置箇所は、図１に示されたように、調節機構１８を有する下部調節ベルト１４を肩ベルト８の下端部近傍と連結固定し、収納部本体４の底部又は底部近傍と連結固定しても良いが、適宜設定すれば良い。【００４２】
以上が本発明に係る調節ベルト付き背負い型カバン２についての説明であるが、本発明の目的を逸脱しない限り、種々の条件・設定は変更が可能である。
【実施例】
【００４３】
次に、本発明に係る調節ベルト付き背負い型カバン２使用による使用者２６への負担について測定した。なお、比較例として、従来の一般的なランドセル、市販されている中で最も軽いとされているランドセルＴも同条件にて測定した。被験者は３名の小学生児童とした。児童の特徴は、児童Ａは身長１３７ｃｍ、体重２５ｋｇ、１０才の男児、児童Ｂは身長１２０ｃｍ、体重２０ｋｇ、７才の男児、児童Ｃは身長１５０ｃｍ、体重３０ｋｇ、１０才の女児である。測定方法は、カバン内に通常授業で必要な平均的学習用具の重量２．０ｋｇを収納し、３０秒間の静止時及び３０秒間の歩行時に体にかかる圧力を測定した。圧力の測定箇所は、図５に示されたように、肩中央部、側胸部、腰椎部の３箇所とした。また、圧力の測定には衣服圧測定器を使用した。この衣服圧測定器は、測定器本体から複数のコードが延び、コードの先端に角状の圧力センサーが取り付けられ、圧力センサーを測定箇所に貼付し、圧力センサーにかかる圧力を測定するものである。また、測定する前にそれぞれのカバンの重量を測定したところ、本発明に係る調節ベルト付き背負い型カバン２の重さは１７４０ｇ、ランドセルＴは９００ｇ、従来のランドセルは１２００ｇであった。また、本発明に係る調節ベルト付き背負い型カバン２を使用するにあたり、児童自身が楽に背負えると感じるように調節ベルト１０及び腰ベルト２４を調節してもらっている。【００４４】
表３は、上記条件において、児童Ａの３０秒間静止時の肩中央部、側胸部、腰椎部にかかる圧力を測定し、平均値をグラフ化したものである。なお、平均値は１秒ごとにそれぞれの箇所にかかる圧力値を測定し、その平均を算出したものである。また、図９は表３をグラフ化したものである。【００４５】
【表３】
2006090542.tif 000004
【００４６】
表４は、上記条件において、児童Ｂの３０秒間静止時の肩中央部、側胸部、腰椎部にかかる圧力を測定し、平均値をグラフ化したものである。なお、平均値は１秒ごとにそれぞれの箇所にかかる圧力値を測定し、その平均を算出したものである。また、図１０は表４をグラフ化したものである。【００４７】
【表４】
2006090542.tif 000005
【００４８】
表５は、上記条件において、児童Ｃの３０秒間静止時の肩中央部、側胸部、腰椎部にかかる圧力を測定し、平均値をグラフ化したものである。なお、平均値は１秒ごとにそれぞれの箇所にかかる圧力値を測定し、その平均を算出したものである。また、図１１は表５をグラフ化したものである。【００４９】
【表５】
2006090542.tif 000006
【００５０】
以上の結果から、本発明に係る調節ベルト付き背負い型カバン２は、肩中央部、側胸部、腰椎部のいずれの箇所において、他のランドセルより圧力がかかっていないことが分かる。特に、本発明に係る調節ベルト付き背負い型カバン２は重量が１７４０ｇと、ランドセルＴの約２倍の重量を有しているにもかかわらず、各測定箇所においてランドセルＴよりも圧力がかかっていない。これは、調節ベルト１０及び腰ベルト２８によって児童の体にかかる圧力がバランス良く分散されているため、無駄な圧力が生じていないと考えられる。つまり、本発明に係る調節ベルト付き背負い型カバン２は、使用者への負担が少ないことが分かる。【００５１】
また、児童Ａ、児童Ｂ、児童Ｃのいずれの児童も本発明に係る調節ベルト付き背負い型カバン２を使用した時が他のカバンを使用した時よりも肩中央部、側胸部、腰椎部にかかる圧力が最も少ない。つまり、本発明に係る調節ベルト付き背負い型カバン２は、使用者の性別・体型・体格に関係なく体への負担を軽減することができることがわかる。【００５２】
次に、表６は、上記条件において、児童Ａの３０秒間歩行時の肩中央部、側胸部、腰椎部にかかる圧力を測定し、平均値をグラフ化したものである。なお、平均値は１秒ごとにそれぞれの箇所にかかる圧力値を測定し、その平均を算出したものである。また、図１２は表６をグラフ化したものである。【００５３】
【表６】
2006090542.tif 000007
【００５４】
表７は、上記条件において、児童Ｂの３０秒間歩行時の肩中央部、側胸部、腰椎部にかかる圧力を測定し、平均値をグラフ化したものである。なお、平均値は１秒ごとにそれぞれの箇所にかかる圧力値を測定し、その平均を算出したものである。また、図１３は表７をグラフ化したものである。【００５５】
【表７】
2006090542.tif 000008
【００５６】
表８は、上記条件において、児童Ｃの３０秒間歩行時の肩中央部、側胸部、腰椎部にかかる圧力を測定し、平均値をグラフ化したものである。なお、平均値は１秒ごとにそれぞれの箇所にかかる圧力値を測定し、その平均を算出したものである。また、図１４は表８をグラフ化したものである。【００５７】
【表８】
2006090542.tif 000009
【００５８】
以上の結果から、歩行時においても本発明に係る調節ベルト付き背負い型カバン２は、肩中央部、側胸部、腰椎部のいずれの箇所においても、他のランドセルよりも圧力がかかっていないことが分かる。本発明に係る調節ベルト付き背負い型カバン２は重量が１７４０ｇと、ランドセルＴの約２倍の重量を有しているにもかかわらず、各測定箇所においてランドセルＴよりも圧力がかかっていない点は静止時と同じである。【００５９】
また、図９と図１２、図１０と図１３、図１１と図１４を比較すると、本発明に係る調節ベルト付き背負い型カバン２を使用した時、いずれの児童も若干グラフが伸びてはいるものの、極端に大きく変化していない。ランドセルＴは、特に肩中央部の圧力値が激増しており、従来のランドセルは腰椎部の圧力値が激増している。これは、歩行の振動によって収納部本体４が上下左右に振動したため、児童の体にかかる圧力が変化したものと考えられる。つまり、使用者の体と収納部本体４が密接しておらず、歩行時の振動が収納部本体４に伝わってしまうということになる。これに対し、本発明に係る調節ベルト付き背負い型カバン２は、静止時と歩行時のグラフにあまり変化がない。これは、収納部本体４が移動していないため、体にかかる圧力に変化がなかったと考えられる。つまり、本発明に係る調節ベルト付き背負い型カバン２は、背負い型カバン２が児童の体に密接保持されているため、歩行時の振動が収納部本体４に伝わらず、体にかかる圧力が変化しにくいことが分かる。また、静止時と歩行時の圧力のかかり方に変化がないということは、何かしらの動作しても、体への負担が変化しにくいため、長時間使用しても疲労しにくく、姿勢の乱れを防止することが可能となる。【００６０】
次に、本発明に係る調節ベルト付き背負い型カバン２を背負った時の姿勢を調べるために、シルエッター（自動体型撮影器）を使用して児童の右側面側の姿勢を計測した。シルエッター（自動体型撮影器）は、被験者に向かって光を照射してスクリーン上に影を投影し、この影の形状を計測することによって被験者の状態や姿勢を解析するものである。なお、比較例として、何も背負っていない状態と、従来のランドセルを背負った状態も計測した。また、計測時にはカバン内に普通の授業に必要な平均的学習用具を２．５ｋｇ収納した。以上の条件で計測した結果は、図１５の通りである。図１５に示されている児童は、上から児童Ａ、児童Ｂ、児童Ｃとなっている。【００６１】
この図によると、いずれの児童も無所持時と比べて、従来のランドセルを背負った時は、児童の姿勢が明らかに前かがみになっている。また、両肩が体の前側に移動しているため、息苦しい姿勢であると考えられる。無所持時は、胸を張って、両肩の位置が体の後方に位置していることから、この姿勢が児童にとって一番楽で、自然体であると考えられるため、従来のランドセルを背負った時は、正常な姿勢を維持できない程度の負担がかかっていることが分かる。これに比べて、本発明に係る調節ベルト付き背負い型カバン２を背負った時は、従来のランドセルを背負った時と同じ重量であるにもかかわらず、無所持時の姿勢と大差がない。これは、本発明に係る調節ベルト付き背負い型カバン２が児童の体に与える圧力がバランス良く分散され、児童への負担が低減されていると考えられる。また、両肩の位置が無所持と差ほど変化がないということは、自然体に近い姿勢を維持できていることが分かる。これにより、本発明に係る調節ベルト付き背負い型カバン２は、無所持時とほぼ同じで姿勢で背負うことができ、荷重をかけられても息苦しくなく、姿勢が崩れにくいことが分かる。【００６２】
以上の実施例から、本発明に係る調節ベルト付き背負い型カバン２は、使用者の体にかかる圧力をバランス良く分散し、局部的に多大な圧力がかかることを防止することができるため、使用者の姿勢を崩れにくい。また、収納部本体４が使用者の背中と密接保持されるため、歩行時の振動が収納部本体４に伝わらず、使用者の負担を低減して長時間使用が可能となる。また、本発明に係る調節ベルト付き背負い型カバン２は、使用者の体型・体格に関係なく体に適合し、使用者全てが同じ効果を得られることが分かる。
【図面の簡単な説明】
【００６３】
【図１】本発明に係る調節ベルト付き背負い型カバンを示した説明図である。
【図２】本発明に係る調節ベルト付き背負い型カバンを示した説明図である。
【図３】本発明に係る調節ベルト付き背負い型カバンの一実施の形態を示した説明図である。
【図４】本発明に係る調節ベルト付き背負い型カバンの一実施の形態を示した説明図である。
【図５】本発明に係る調節ベルト付き背負い型カバンの使用状態を示した説明図である。
【図６】従来の一般的なランドセルを示した説明図である。
【図７】従来のランドセルの使用状態を示した説明図である。
【図８】静立時の頸椎の状態を示した説明図である。
【図９】表３をグラフ化したものである。
【図１０】表４をグラフ化したものである。
【図１１】表５をグラフ化したものである。
【図１２】表６をグラフ化したものである。
【図１３】表７をグラフ化したものである。
【図１４】表８をグラフ化したものである。
【図１５】カバンを背負った時の児童の姿勢変化を示した説明図である。
【符号の説明】
【００６４】
２    背負い型カバン
４    収納部本体
６    対峙面
８    肩ベルト
１０    調節ベルト
１２    上部調節ベルト
１４    下部調節ベルト
１６    連結手段
１８    調節機構
２０    クッション保持部材
２２    クッション部材
２４    腰ベルト
２６    使用者
【図１】
2006090542.tif 000010
【図２】
2006090542.tif 000011
【図３】
2006090542.tif 000012
【図４】
2006090542.tif 000013
【図５】
2006090542.tif 000014
【図６】
2006090542.tif 000015
【図７】
2006090542.tif 000016
【図８】
2006090542.tif 000017
【図９】
2006090542.tif 000018
【図１０】
2006090542.tif 000019
【図１１】
2006090542.tif 000020
【図１２】
2006090542.tif 000021
【図１３】
2006090542.tif 000022
【図１４】
2006090542.tif 000023
【図１５】
2006090542.tif 000024
【国際調査報告】
2006090542.tif 000025
2006090542.tif 000026
2006090542.tif 000027
2006090542.tif 000028